(57)【要約】【課題】通信エリア内のデータ通信効率を高めた通信システム、および、そのための無線通信端末を提供する。【解決手段】制御部１８は、エリア内の携帯電話機の受信性能を把握し、その受信性能に応じて、エリア内の各携帯電話機に送信するデータのエラー訂正におけるパラメータ（ＦＥＣパラメータ）を逐次切り替える。【選択図】図３
2006339918.tif 000002
【特許請求の範囲】
【請求項１】
第１エリアを管理する第１放送装置から複数の無線通信端末に対して放送データを送信する通信システムであって、
前記無線通信端末は、
前記第１エリアと隣接する第２エリアを管理する第２放送装置に対する受信感度が所定の閾値を越えたことを条件として、前記第１放送装置に対する受信感度を第１放送装置に通知する通知手段、を備え、
前記第１放送装置は、
前記複数の無線通信端末から通知された受信感度を平均化し、平均感度を算出する算出手段と、
前記放送データを前記複数の無線通信端末へ送信する際に、エラー訂正のための符号化を行う符号化手段と、
算出した前記平均感度を所定の基準感度と比較し、その比較結果に応じて前記符号化手段におけるエラー訂正能力を調整する調整手段と、を備えた
通信システム。
【請求項２】
前記所定の基準感度は、ダイバシチ受信を行う無線通信端末の受信感度に対応した第１基準感度と、ダイバシチ受信を行わない無線通信端末の受信感度に対応し、前記第１基準感度よりも大きい第２基準感度とを含み、
前記調整手段は、前記平均感度と前記第１および第２基準感度との比較結果に基づいて、前記符号化手段におけるエラー訂正能力を平均感度が増加するにつれて段階的に高める
請求項１記載の通信システム。
【請求項３】
第１エリアを管理する第１放送装置から放送データを受信する無線通信端末であって、
前記第１エリアに隣接する第２エリアを管理する第２放送装置に対する受信感度が所定の閾値を越えたことを条件として、前記第１放送装置に対する受信感度を第１放送装置に通知する通知手段と、
前記第１放送装置において、複数の無線通信端末から通知された受信感度を平均化され、その平均感度が所定の基準感度と比較され、その比較結果に応じてエラー訂正能力を調整された符号化が行われた、前記放送データを受信する放送受信手段と、
を備えた無線通信端末。
【発明の詳細な説明】
【技術分野】
【０００１】
本発明は、ブロードキャスト／マルチキャストのデータを処理する通信システム、および、かかるデータを受信して視聴可能な無線通信端末に関する。
【背景技術】
【０００２】
近年、携帯電話機に代表される無線通信端末は、通話のための音声データの無線通信を行う音声システムだけでなく、動画像データなどの大量のマルチメディアデータをパケットデータとして無線通信を行うパケットシステムを利用することができる。このパケットシステムでは、送信フレームに伝送効率の良い大容量フレームを採用し、物理層ではエラー訂正能力の高い符号化方式を採用し、音声システムで重要視していた伝送遅延の保証を行わないことによって、高速かつ低コストの無線システムを実現している。
また、下記特許文献１には、１つの無線チャネルを複数の端末で共有することによって、無線通信の伝送効率を高めつつ、高品質で大容量なマルチメディアデータを送信することができるパケットシステムとして、マルチキャスト／ブロードキャストサービスを行うシステム（マルチキャスト／ブロードキャストシステム）が提案されている。
【０００３】
上述したマルチキャスト／ブロードキャストシステムでは、１つの無線チャネルを複数の端末で共有することで無線の利用効率を高めるものである。したがって、マルチキャスト／ブロードキャストシステムのエラー訂正方式として、従来のパケットシステムのように端末個別の受信状態に応じた符号化方式や受信エラーが発生した場合に再送制御を行うＡＲＱ(Automatic Repeat Request)方式を利用することができない。そのため、マルチキャスト／ブロードキャストシステムでは、無線通信端末側で受信したデータの受信エラーに対し、送信元に再送要求などを行わずエラー訂正を行うＦＥＣ(forward error correction)方式が利用される。
【０００４】
【特許文献１】特表２００４−５３１９３７号公報
【発明の開示】
【発明が解決しようとする課題】
【０００５】
ところで、マルチキャスト／ブロードキャストシステムでは、アクセスポイント（ＡＰ）ごとのサービスエリア（以下、エリア）の設定やそのエリア内の電波状態によって、アクセスポイントから無線通信端末（ＡＴ：Access Terminal）に送信されるデータに対して必要とされるＦＥＣの設定（エラー耐力）が異なる。この点について、図１および図２に関連付けて説明する。
【０００６】
図１および図２は、アクセスポイント（ＡＰ）内の無線通信端末（ＡＴ）の受信状態と、送信データに設定されるＦＥＣの設定との関係について説明するための図である。
図１（ａ）において、エリア内の無線通信端末ＡＴ１，ＡＴ２が同一の受信性能であると仮定すると、アクセスポイントから送信された電波の無線通信端末ＡＴ１，ＡＴ２での受信状態は、エリアの中心付近にある無線通信端末ＡＴ１がエリアの境界にある無線通信端末ＡＴ２より良い。すなわち、無線通信端末ＡＴ１，ＡＴ２の受信レベルをＣ１，Ｃ２とすると、Ｃ１＞Ｃ２である。かかる場合、アクセスポイントからの送信データのＦＥＣ設定は、エリア内のすべての無線通信端末に対してエラーフリーを保証するため、受信状態の悪い無線通信端末ＡＴ２であっても確実にエラー訂正ができるように行われる。たとえば、図１（ｂ）に示すように、パリティシンボルを付加したＦＥＣを用いる場合は、無線通信端末ＡＴ２であっても確実にエラー訂正ができるように、単位データ（データ長：Ｎ）内のパリティシンボル長（Ｒ）が設定される。
【０００７】
しかしながら、近年では、受信ダイバシチ等によって受信性能を高めることができるダイバシチ受信対応の無線通信端末が増加しており、エリアの境界にある無線通信端末の受信性能がそのエリア内の無線通信端末の中で最も低いとは言えない状況が生じている。たとえば図２において、エリア境界にある無線通信端末ＡＴ３がダイバシチ対応の端末であって、図１に示した無線通信端末ＡＴ２がダイバシチ非対応の端末であるとすると、無線通信端末ＡＴ３の受信レベルＣ３は、無線通信端末ＡＴ２の受信レベルよりも高い（Ｃ３＞Ｃ２）ということが起こりうる。場合によっては、無線通信端末ＡＴ３の受信レベルは、エリアの中心付近にあるダイバシチ非対応の無線通信端末ＡＴ１よりも高いことも起こりうる。
かかる場合に、アクセスポイントから送信されたデータのＦＥＣ設定が、受信性能が最も低い無線通信端末ＡＴ２に基づいたままであることは、受信性能が高い端末が増加してくるにつれて、効率的なデータ送信方法とは言えなくなる。すなわち、受信性能が高い端末が増えるに従って、ＦＥＣの設定が徐々に過剰品質となり、結果的に、送信すべきデータ（図１（ｂ）のペイロード）の送信効率が低下することになる。
【０００８】
本発明は上記した点に鑑みてなされたものであって、その目的とするところは、通信エリア内のデータ通信効率を高めた通信システム、および、そのための無線通信端末を提供することである。
【課題を解決するための手段】
【０００９】
上記課題を克服するために、本発明の第１の観点は、第１エリアを管理する第１放送装置から複数の無線通信端末に対して放送データを送信する通信システムであって、前記無線通信端末は、前記第１エリアと隣接する第２エリアを管理する第２放送装置から放送される放送データに対する受信感度が所定の閾値を越えたことを条件として、前記第１放送装置に対する受信感度を第１放送装置に通知する通知手段、を備え、前記第１放送装置は、前記複数の無線通信端末から通知された受信感度を平均化し、平均感度を算出する算出手段と、前記放送データを前記複数の無線通信端末へ送信する際に、エラー訂正のための符号化を行う符号化手段と、算出した前記平均感度を所定の基準感度と比較し、その比較結果に応じて前記符号化手段におけるエラー訂正能力を調整する調整手段と、を備えた通信システムである。
【００１０】
好適には、前記所定の基準感度は、ダイバシチ受信を行う無線通信端末の受信感度に対応した第１基準感度と、ダイバシチ受信を行わない無線通信端末の受信感度に対応し、前記第１基準感度よりも大きい第２基準感度とを含み、前記調整手段は、前記平均感度と前記第１および第２基準感度との比較結果に基づいて、前記符号化手段におけるエラー訂正能力を平均感度が増加するにつれて段階的に高める。
【００１１】
上記課題を克服するために、本発明の第２の観点は、第１エリアを管理する第１放送装置から放送データを受信する無線通信端末であって、前記第１エリアに隣接する第２エリアを管理する第２放送装置から放送される放送データに対する受信感度が所定の閾値を越えたことを条件として、前記第１放送装置から放送される放送データに対する受信感度を第１放送装置に通知する通知手段と、前記第１放送装置において、複数の無線通信端末から通知された受信感度を平均化し、その平均感度が所定の基準感度と比較され、その比較結果に応じてエラー訂正能力を調整された符号化が行われた、前記放送データを受信する放送受信手段と、を備えた無線通信端末である。
【発明の効果】
【００１２】
本発明によれば、通信エリア内のデータ通信効率を高めることができる。
【発明を実施するための最良の形態】
【００１３】
以下、本発明の通信システムの一実施形態を添付図面に関連付けて説明する。
実施形態に係る通信システムでは、特定のエリアを管理するＡＰ（アクセスポイント１０；本発明の放送装置）が、ブロードキャストデータまたはマルチキャストデータなどの放送情報（本発明の放送データ）を放送要求に応じてエリア内の複数の携帯電話機２０（本発明の無線通信端末の一例）に配信（放送）する。なお、以下の説明において、携帯電話機は適宜端末と略記する。また、以下では、パケットシステムとして、配信先を限定しないブロードキャストシステムを前提として説明を行うが、配信先を限定したマルチキャストシステムに対しても適用することができる。
【００１４】
以下、アクセスポイント１０と携帯電話機２０の構成および動作について説明する。
図３は、アクセスポイント１０の構成を示すブロック図である。
図３に示すように、アクセスポイント１０は、アンテナ１１、無線受信部１２、無線送信部１３、パケット処理部１４、ブロードキャストデータ処理部１５、端末データ蓄積部１６、ＦＥＣパラメータ保存部１７、制御部１８、を備えて構成される。
【００１５】
アクセスポイント１０では、自己が管理するエリア内の携帯電話機から送信された電波がアンテナ１１を介して無線受信部１２に取り込まれる。無線受信部１２では、受信した電波を検波・復調処理を行うとともに、デジタルデータ（受信データ）に変換する。そして、受信データがパケットデータに関するデータの場合には、パケット処理部１４にてパケット処理されて処理され、受信データがブロードキャストデータに関するデータの場合には、ブロードキャストデータ処理部１５に供給されて処理される。
【００１６】
制御部１８は、アクセスポイント１０の全体動作を統括するとともに、エリア内の端末から後述する受信強度通知を受けると、その受信強度のデータ（受信強度データ）を端末データ蓄積部１６に記録する。
制御部１８は、端末データ蓄積部１６に記録されたエリア内の端末の受信強度データに基づいて、統計処理と判定処理を行う。
統計処理では、エリア内の複数の端末の受信強度通知データ（パイロット信号強度）に対して平均化処理を行って、平均受信強度を算出する。この平均受信強度によって、エリア内にある携帯電話機全体の受信性能を把握する。
判定処理では、統計処理で算出した平均受信強度と、予め測定しておいた基準受信強度とを比較し、その比較結果に応じて、エリア内の携帯電話機に対して送信するデータのＦＥＣのパラメータを設定する。このＦＥＣのパラメータを設定する際には、平均受信強度が基準受信強度よりも小さい場合、エラー訂正能力が高いパラメータ設定を行い、平均受信強度が基準受信強度よりも大きい場合、エラー訂正能力が低いパラメータ設定を行う。
【００１７】
本実施形態において、ＦＥＣのパラメータは、送信するブロードキャストデータの１単位ブロックのデータ長Ｎと、そのデータ長Ｎの中に占めるペイロードＫと、データ長Ｎの中に含まれるパリティシンボル長Ｒ（＝Ｎ−Ｋ）の値である。
【００１８】
エリア内の携帯電話機に対してデータ送信を行う際には、ブロードキャストデータ処理部１５では、プロトコル処理部１５２において、アクセスポイント１０の上位に位置するネットワーク機器から受信した制御データ、ユーザデータ、ブロードキャストデータを多重化するとともに、ＦＥＣ処理部１５１においてエラー訂正のための符号化、たとえばリードソロモン符号化などのブロック符号化を行う。このブロック符号化は、制御部１８によって設定されたＦＥＣのパラメータに基づいて行われる。
無線送信部１３は、ブロードキャストデータ処理部１５により生成された符号化データをアンテナ１１を介して、アクセスポイント１０が管理するエリア内の携帯電話機に放送（配信）する。
【００１９】
次に、携帯電話機２０の構成について説明する。
図４は、携帯電話機２０の構成を示すブロック図である。図４に示す携帯電話機２０は、一例としてダイバシチ受信を行う端末の構成を示している。
図４に示すように、携帯電話機２０は、アンテナ２１、無線送信部２２、ブロードキャスト処理部２３、無線受信部２４、パケット処理部２５、マイク２６、スピーカ２７、表示部２８、入力部２９、端末情報保存部３０、制御部３１、を備えて構成される。
【００２０】
携帯電話機２０では、アンテナ２１で受信した電波が無線受信部２４に取り込まれる。無線受信部２４では、受信した電波を検波してベースバンド信号（受信信号）を抽出するともに、受信信号をデジタルデータ（受信データ）に変換する。
この受信データがパケットデータの場合には、パケット処理部２５に供給されて処理され、受信データがブロードキャストデータの場合には、ブロードキャスト処理部２３に供給されて処理される。
【００２１】
ブロードキャスト処理部２３では、受信データ（多重化データ）を分離して、制御データ、ユーザデータ、ブロードキャストデータを抽出するとともに、単位ブロックごとにエラー訂正のための復号化を行う。この復号化によるエラー訂正能力は、単位ブロックに含まれるパリティシンボル長が長いほど高くなる。
さらに、復号化されたデータは、制御部３１にて映像再生のための復号が施され、マイク２６、スピーカ２７および表示部２８に出力される。
【００２２】
制御部１８は、携帯電話機２０の全体動作を制御するほか、本実施形態では、自端末の受信強度を算出し、その受信強度データをアクセスポイント１０に通知する（受信強度通知）。データ通信がＣＤＭＡ２０００  １ｘＥＶＤＯ方式の場合、受信強度として、パイロット信号強度を算出する。
この受信強度通知を行うための条件については、後述する。
【００２３】
携帯電話機２０がダイバシチ受信を行う場合には、無線受信部２４のダイバシチ処理部２４１にて、図４に示す２つのアンテナ２１１，２１２から得られた受信信号の中で受信強度が大きい信号を選択して処理するか（選択ダイバシチ）、または、２つのアンテナ２１１，２１２から得られた受信信号を合成して処理する（合成ダイバシチ）ことによって、単一のアンテナから受信する場合と比較して、受信性能を高くすることができる。なお、図４では、アンテナ２１１は受信専用アンテナ、アンテナ２１２は受信・送信共用アンテナとなっている。
【００２４】
次に、携帯電話機２０が受信強度通知を行うための条件について、図５〜７を参照して説明する。
実施形態に係る通信システムでは、端末があるエリアを管理するアクセスポイントから、隣接するエリアを管理する別のアクセスポイントへ移動した（ハンドオフ）ときに、端末からアクセスポイントに対して受信強度通知を行う。
【００２５】
たとえば、図５は、携帯電話機２０がアクセスポイント１０−１からアクセスポイント１０−２へハンドオフした場合を図解した図である。
このとき、携帯電話機２０は、アクセスポイント１０−１のエリア中心位置からアクセスポイント１０−２との境界付近に近づくにつれて、徐々にアクセスポイント１０−２からの信号を受信することができるようになる（図５（ａ），（ｂ））。すなわち、アクセスポイント１０−２からの受信強度が徐々に増加していく。そして、携帯電話機２０は、アクセスポイント１０−２からの信号強度が通信に適した所定の受信強度に達したことを条件として、そのときのアクセスポイント１０−１，１０−２からの受信強度の値により、アクセスポイント１０−１に対して受信強度通知を行う。図５（ｃ）に、受信強度通知においてアクセスポイント１０−１に送信する受信強度データの一例を示す。
【００２６】
図６では、図５と同様に、携帯電話機２０がアクセスポイント１０−１からアクセスポイント１０−２へハンドオフした場合を図解した図であるが、携帯電話機の受信性能が高い場合を示している。
アクセスポイント１０−１からアクセスポイント１０−２にハンドオフする携帯電話機２０の受信性能が高い場合には、図６に示すように、アクセスポイント１０−１のエリア中心に近い位置であっても、隣接するアクセスポイント１０−２からの信号強度が通信に適した所定の受信強度に達する。このとき、携帯電話機２０がアクセスポイント１０−１のエリア中心近くにいるために、受信強度データに含まれるアクセスポイント１０−１からの受信強度は、図６（ｃ）に例示するように、図５（ｃ）の場合と比較して大きいものとなる（図５では「＋２．２」に対し、図６では「＋５．１」）。
【００２７】
このように、図５および図６では、アクセスポイント１０−１では、受信性能が高い携帯電話機ほど、通知するアクセスポイント１０−１の受信強度データが大きいものとなる。したがって、アクセスポイント１０−１では、エリア内にある携帯電話機から通知される、アクセスポイント１０−１の受信強度データは、自エリア内の携帯電話機の受信性能の指標とすることができる。
【００２８】
アクセスポイント１０−１は、エリア内の携帯電話機２０から逐次受信強度通知によって、アクセスポイント１０−１，１０−２に対する受信強度（パイロット強度）を取得し、記録していく。図７に、パイロット強度の記録例を示す。
ここで、前述したように、隣接するアクセスポイント１０−２からの受信強度は受信強度通知を行うための条件に過ぎず、図７に示すようにほぼ一定の値となる。したがって、エリア内の携帯電話機の受信性能を把握するうえで重要となるのは、アクセスポイント１０−１からの受信強度である。以下では、アクセスポイント１０−１からの受信強度を「受信強度データ」と称して説明を行う。
【００２９】
次に、受信強度通知によりエリア内の携帯電話機の受信強度データを取得したアクセスポイント１０で行われる処理（主として制御部１８で行われる処理）について説明する。
【００３０】
まず、アクセスポイント１０の制御部１８では、エリア内の携帯電話機から送信される受信強度データを端末データ蓄積部１６に記録した後、以下式（１）に従って平均化処理（統計処理）を行う。すなわち、式（１）に示すように、一定期間における受信強度データの平均をとって、平均受信強度Pilotaveを算出する。この平均受信強度Pilotaveによって、エリア内の携帯電話機の全体的な受信性能を把握する。
【００３１】
2006339918.tif 000003
なお、ｋは最新の時間データ（Pilot[n]が受信強度データの最新値となる）、αは時間平均を行うための時間幅、である。
【００３２】
次に、上記統計処理で算出した平均受信強度と、予め測定しておいた基準受信強度とを比較し、その比較結果に応じて、エリア内の携帯電話機に対して送信するデータのＦＥＣのパラメータを設定する。このＦＥＣのパラメータを設定する際には、平均受信強度が基準受信強度よりも小さい場合、エラー訂正能力が高いパラメータ設定を行い、平均受信強度が基準受信強度よりも大きい場合、エラー訂正能力が低いパラメータ設定を行う。
【００３３】
図８は、ＦＥＣのパラメータの設定の一例を示す図である。
一般に、ダイバシチ非搭載端末、ダイバシチ搭載端末（選択ダイバシチ）、ダイバシチ搭載端末（合成ダイバシチ）の順に受信性能が向上するため、これらの基準端末（基準機）によって予め対応する基準受信強度（図８におけるPilotref」）を測定しておく。そして、上記統計処理で算出した平均受信強度と基準受信強度との比較結果に応じて、ＦＥＣパラメータを設定する。たとえば、下記式（２）を満たすようなＦＥＣパラメータの設定を行う。
【００３４】
2006339918.tif 000004
ここでPilotref[i]は図８の各Pilot信号の基準値（ｉ＝０〜２、ｉは図８における「Ｎｏ」に対応）、βは、０．５〜１までの確率変数である。
【００３５】
さらに、アクセスポイント１０のパラメータ設定処理（制御部１８の処理）について、図９のフローチャートに関連付けて説明する。
【００３６】
先ず、基準機による基準受信強度の測定を行って、基準受信強度を決定する（ステップＳＴ１）。また、この基準受信強度に対応するＦＥＣのパラメータについても予め決定し、ＦＥＣパラメータ保存部１７に記録しておく（ステップＳＴ１）。すなわち、図８に例示したような、処理の基準となるデータを予め決定して記録しておく。
そして、アクセスポイント１０が実際に動作を開始すると、エリア内の各端末から受信強度通知を受け（ステップＳＴ２）、その受信強度によって取得した受信強度データを端末データ蓄積部１６に逐次記録するとともに、記録したデータに対して統計処理を行う（ステップＳＴ３）。統計処理では、たとえば上記式（１）に従って時間平均をとり、平均受信強度を算出する。
【００３７】
次に、予め決定した基準受信強度とＦＥＣパラメータの設定に基づいて、算出した平均受信強度に応じたＦＥＣパラメータを決定する。たとえば、上記式（２）で示した条件式を満足するか否かに応じてＦＥＣパラメータを決定する（ステップＳＴ４〜７）。
たとえば、図８および式（２）に示した例では、ｉ＝０（ｉ：図８における「Ｎｏ」に対応）で順に式（２）を満足するか否かをチェックし、満足すればＦＥＣパラメータを誤り訂正能力が高くなるように変更し（ステップＳＴ５）、ｉ＝０で満足しない場合には、ｉ＝１で式（２）を満足するか否かをチェックし、満足すればＦＥＣパラメータを誤り訂正能力が低くなるように変更する（ステップＳＴ７）。ｉ＝１でも満足しない場合には、ｉ＝２のＦＥＣパラメータ設定とする。
【００３８】
以上説明したように、実施形態に係る通信システムによれば、エリア内の携帯電話機の受信性能を把握し、その受信性能に応じて、エリア内の各携帯電話機に送信するデータのエラー訂正におけるパラメータ（ＦＥＣパラメータ）を逐次切り替えるので、エリア内の携帯電話機の受信性能が向上したにも関わらずエラー訂正能力が高いデータを送信することがない。したがって、エリア内のデータ送信効率を常に最適に保つことができる。
その結果、より高品質なマルチメディアデータの送信が可能となるばかりでなく、複数のマルチメディアデータの同時配信や、より高速なパケットデータの送信も可能となる。
【００３９】
以上、図面を参照して本発明の実施形態について詳述してきたが、具体的な構成はこれらの実施形態に限られるものではなく、この発明の要旨を逸脱しない範囲の設計変更等も含まれる。例えば、本発明の無線通信端末は、携帯電話機、無線通信カード、無線通信モジュール、など無線通信機能を有する装置を含むものである。
【図面の簡単な説明】
【００４０】
【図１】アクセスポイント（ＡＰ）内の無線通信端末（ＡＴ）の受信状態と、送信データに設定されるＦＥＣの設定との関係について説明するための図である。
【図２】アクセスポイント（ＡＰ）内の無線通信端末（ＡＴ）の受信状態と、送信データに設定されるＦＥＣの設定との関係について説明するための図である。
【図３】アクセスポイントの構成を示すブロック図である。
【図４】携帯電話機の構成を示すブロック図である。
【図５】携帯電話機がアクセスポイント間をハンドオフした場合を図解した図である。
【図６】携帯電話機がアクセスポイント間をハンドオフした場合を図解した図である。
【図７】パイロット強度の記録例を示す。
【図８】ＦＥＣのパラメータの設定の一例を示す図である。
【図９】アクセスポイントのパラメータ設定処理を示すフローチャートである。
【符号の説明】
【００４１】
１０…アクセスポイント
１１…アンテナ
１２…無線受信部
１３…無線送信部
１４…パケット処理部
１５…ブロードキャストデータ処理部
１６…端末データ蓄積部
１７…ＦＥＣパラメータ保存部
１８…制御部
２０…携帯電話機
２１…アンテナ
２２…無線送信部
２３…ブロードキャスト処理部
２４…無線受信部
２５…パケット処理部
２６…マイク
２７…スピーカ
２８…表示部
２９…入力部
３０…端末情報保存部
３１…制御部
【図１】
2006339918.tif 000005
【図２】
2006339918.tif 000006
【図３】
2006339918.tif 000007
【図４】
2006339918.tif 000008
【図５】
2006339918.tif 000009
【図６】
2006339918.tif 000010
【図７】
2006339918.tif 000011
【図８】
2006339918.tif 000012
【図９】
2006339918.tif 000013